(57)【要約】【課題】採点担当者の身体的な負担を軽減することが可能な情報処理装置等を提供すること。【解決手段】情報処理装置は、取得した文書を表示する文書表示部と、前記文書表示部に表示した前記文書中の評価対象部５６に対する操作を受け付ける受付部と、前記受付部が受け付けた操作に応じて評価を表示する評価表示部と、前記評価表示部が表示した評価に関連づけられた配点を集計して前記文書に対する点数を算出する算出部とを備える。【選択図】図３
2018132945.tif 000002
【特許請求の範囲】
【請求項１】
取得した文書を表示する文書表示部と、
前記文書表示部に表示した前記文書中の評価対象部に対する操作を受け付ける受付部と、
前記受付部が受け付けた操作に応じて評価を表示する評価表示部と、
前記評価表示部が表示した評価に関連づけられた配点を集計して前記文書に対する点数を算出する算出部とを備える
情報処理装置。
【請求項２】
前記受付部は、前記文書表示部の表面に配置されたタッチセンサであり、
前記評価表示部は、前記文書表示部中の前記評価対象部の近傍に配置される
請求項１に記載の情報処理装置。
【請求項３】
前記受付部は、タッチ操作を受け付け、
前記評価表示部は、前記受付部がタッチ操作を受け付けるたびに、前記評価を変更する
請求項２に記載の情報処理装置。
【請求項４】
前記受付部は、タッチ操作を受け付け、
前記評価表示部は、前記受付部が受け付けたタッチ操作の継続時間が所定の時間を越えるたびに、所定の順番で前記評価を変更する
請求項２に記載の情報処理装置。
【請求項５】
前記受付部は、マルチタッチ操作を受け付け、
前記評価表示部は、前記受付部が受け付けたマルチタッチ操作のタッチ数に応じて前記評価を表示する
請求項２に記載の情報処理装置。
【請求項６】
前記受付部は、フリック操作を受け付け、
前記評価表示部は、前記受付部が受け付けたフリック操作の向きに応じて前記評価を表示する
請求項２に記載の情報処理装置。
【請求項７】
前記評価を記録する記録部を備える、請求項１から請求項６のいずれか一つに記載の情報処理装置。
【請求項８】
前記文書は、答案であり、
前記評価対象部は、解答欄である
請求項１から請求項７のいずれか一つに記載の情報処理装置。
【請求項９】
前記文書表示部は、受験者が解答を記入した答案を画像により表示する、請求項８に記載の情報処理装置。
【請求項１０】
前記文書表示部は、複数の前記答案中の前記解答欄に記入された解答を、設問ごとに一覧表示する、請求項８に記載の情報処理装置。
【請求項１１】
前記算出部は、前記記録部が記録した評価に基づき前記答案の点数を算出する請求項８から請求項１０のいずれか一つに記載の情報処理装置。
【請求項１２】
第１情報処理装置と、第２情報処理装置とがネットワークを介して接続された情報処理システムにおいて、
前記第２情報処理装置は、
解答欄に対して解答が入力される入力部と、
前記入力部から入力された解答を送信する送信部とを備え、
前記第１情報処理装置は、
取得した前記解答および解答欄を含む文書を表示する文書表示部と、
前記文書表示部に表示された前記解答欄に対する操作を受け付ける受付部と、
前記受付部が受け付けた操作に応じて評価を表示する評価表示部と、
前記評価表示部が表示した評価に関連づけられた配点を集計して前記文書に対する点数を算出する算出部とを備える
情報処理システム。
【請求項１３】
取得した文書を表示し、
表示した前記文書中の評価対象部に対する操作を受け付け、
受け付けた操作に応じて評価を表示し、
表示された前記評価に関連づけられた配点を集計して前記文書に対する点数を算出する
処理をコンピュータに実行させる情報処理方法。
【請求項１４】
取得した文書を表示し、
表示した前記文書中の評価対象部に対する操作を受け付け、
受け付けた操作に応じて評価を表示し、
表示された前記評価に関連づけられた配点を集計して前記文書に対する点数を算出する
処理をコンピュータに実行させるプログラム。
【発明の詳細な説明】
【技術分野】
【０００１】
本発明は、情報処理装置、情報処理システム、情報処理方法およびプログラムに関する。
【背景技術】
【０００２】
試験の答案をスキャナで読み込み、解答欄を電子データ上で切り取って、採点担当者の採点能力に応じて分配して採点させる電子採点システムが提案されている（特許文献１）。
【先行技術文献】
【特許文献】
【０００３】
【特許文献１】特開２０００−１２２５１７号公報
【発明の概要】
【発明が解決しようとする課題】
【０００４】
特許文献１に記載の電子採点システムでは、採点担当者の負担を軽減することはできないという問題点がある。
【０００５】
一つの側面では、採点担当者の身体的な負担を軽減することが可能な情報処理装置等を提供することを目的とする。
【課題を解決するための手段】
【０００６】
情報処理装置は、取得した文書を表示する文書表示部と、前記文書表示部に表示した前記文書中の評価対象部に対する操作を受け付ける受付部と、前記受付部が受け付けた操作に応じて評価を表示する評価表示部と、前記評価表示部が表示した評価に関連づけられた配点を集計して前記文書に対する点数を算出する算出部とを備える。
【発明の効果】
【０００７】
一つの側面では、採点担当者の身体的な負担を軽減することが可能な情報処理装置等を提供することができる。
【図面の簡単な説明】
【０００８】
【図１】情報処理システムの構成を示す説明図である。
【図２】第２情報処理装置の構成を示す説明図である。
【図３】採点者による採点操作を説明する説明図である。
【図４】受験者ＤＢのレコードレイアウトを示す説明図である。
【図５】問題ＤＢのレコードレイアウトを示す説明図である。
【図６】問題ファイルの例を示す説明図である。
【図７】採点記号ＤＢのレコードレイアウトを示す説明図である。
【図８】答案の例を示す説明図である。
【図９】答案ＤＢのレコードレイアウトを示す説明図である。
【図１０】採点結果を示す説明図である。
【図１１】プログラムの処理の流れを示すフローチャートである。
【図１２】採点のサブルーチンの処理の流れを示すフローチャートである。
【図１３】実施の形態２の受験者が試験に解答するシステムの構成を示す説明図である。
【図１４】実施の形態２のプログラムの処理の流れを示すフローチャートである。
【図１５】実施の形態３の採点記号ＤＢのレコードレイアウトを示す説明図である。
【図１６】実施の形態３の採点のサブルーチンの処理の流れを示すフローチャートである。
【図１７】実施の形態４の採点記号ＤＢのレコードレイアウトを示す説明図である。
【図１８】実施の形態４の採点操作を説明する説明図である。
【図１９】実施の形態４の採点のサブルーチンの処理の流れを示すフローチャートである。
【図２０】実施の形態５の採点画面を示す説明図である。
【図２１】実施の形態５の採点のサブルーチンの処理の流れを示すフローチャートである。
【図２２】実施の形態６の採点画面を示す説明図である。
【図２３】実施の形態６の採点のサブルーチンの処理の流れを示すフローチャートである。
【図２４】実施の形態７の採点画面を示す説明図である。
【図２５】実施の形態８の答案ＤＢのレコードレイアウトを示す説明図である。
【図２６】実施の形態８の採点者による採点操作を説明する説明図である。
【図２７】実施の形態８の採点結果を示す説明図である。
【図２８】実施の形態８の採点のサブルーチンの処理の流れを示すフローチャートである。
【図２９】実施の形態９の情報処理システムの動作を示す機能ブロック図である。
【図３０】実施の形態１０の情報処理システムの構成を示す説明図である。
【発明を実施するための形態】
【０００９】
［実施の形態１］
図１は、情報処理システム１０の構成を示す説明図である。情報処理システム１０は、たとえば学校の教室、学習塾の教室、および模擬試験会場等で、試験および採点に使用されるシステムである。情報処理システム１０は、第１情報処理装置１１と、第２情報処理装置２１とを備える。
【００１０】
第１情報処理装置１１は、第１ＣＰＵ（Central Processing Unit）１２、主記憶装置１３、補助記憶装置１４、通信部１５、表示部１６、受付部１７、およびバスを備える。本実施の形態の第１情報処理装置１１は、汎用のパソコン、タブレット、スマートフォン等の情報機器である。第１情報処理装置１１は、採点者向けの専用端末でも良い。
【００１１】
第１ＣＰＵ１２は、本実施の形態にかかるプログラムを実行する演算制御装置である。第１ＣＰＵ１２には、一または複数のＣＰＵまたはマルチコアＣＰＵ等が使用される。第１ＣＰＵ１２は、バスを介して第１情報処理装置１１を構成するハードウェア各部と接続されている。
【００１２】
主記憶装置１３は、ＳＲＡＭ（Static Random Access Memory）、ＤＲＡＭ（Dynamic Random Access Memory）、フラッシュメモリ等の記憶装置である。主記憶装置１３には、第１ＣＰＵ１２が行う処理の途中で必要な情報および第１ＣＰＵ１２で実行中のプログラムが一時的に保存される。
【００１３】
補助記憶装置１４は、ＳＲＡＭ、フラッシュメモリ、ハードディスクまたは磁気テープ等の記憶装置である。補助記憶装置１４には、受験者ＤＢ３１、問題ＤＢ３２、答案ＤＢ３３、採点記号ＤＢ３４、第１ＣＰＵ１２に実行させるプログラム、およびプログラムの実行に必要な各種情報が保存される。なお、各ＤＢは、第１情報処理装置１１に接続された図示しない大容量記憶装置に記憶されていても良い。
【００１４】
通信部１５は、ネットワークとの通信を行うインターフェイスである。表示部１６は、液晶表示パネルまたは有機ＥＬ（Electro Luminescence）表示パネル等の表示パネルである。受付部１７は、表示部１６の表面に配置されたタッチセンサである。すなわち、表示部１６と受付部１７とは、一体になっていわゆるタッチパネルを構成する。
【００１５】
図２は、第２情報処理装置２１の構成を示す説明図である。第２情報処理装置２１は、第２ＣＰＵ２２、主記憶装置２３、補助記憶装置２４、通信部２５、表示部２６、入力部２９、およびバスを備える。本実施の形態の第２情報処理装置２１は、汎用のパソコン、タブレット、スマートフォン等の情報機器である。第２情報処理装置２１は、児童または生徒向けの学習用専用端末であっても良い。
【００１６】
第２ＣＰＵ２２は、本実施の形態にかかるプログラムを実行する演算制御装置である。第２ＣＰＵ２２には、一または複数のＣＰＵまたはマルチコアＣＰＵ等が使用される。第２ＣＰＵ２２は、バスを介して第２情報処理装置２１を構成するハードウェア各部と接続されている。
【００１７】
主記憶装置２３は、ＳＲＡＭ、ＤＲＡＭ、フラッシュメモリ等の記憶装置である。主記憶装置２３には、第２ＣＰＵ２２が行う処理の途中で必要な情報および第２ＣＰＵ２２で実行中のプログラムが一時的に保存される。
【００１８】
補助記憶装置２４は、ＳＲＡＭ、フラッシュメモリ、ハードディスクまたは磁気テープ等の記憶装置である。補助記憶装置２４には、第２ＣＰＵ２２に実行させるプログラム、およびプログラムの実行に必要な各種情報が保存される。
【００１９】
通信部２５は、ネットワークとの通信を行うインターフェイスである。表示部２６は、液晶表示パネルまたは有機ＥＬ表示パネル等の表示パネルである。入力部２９は、表示部２６の表面に配置されたタッチセンサである。すなわち、表示部２６と入力部２９とは、一体になっていわゆるタッチパネルを構成する。入力部２９は、キーボード、マウス、ペンタブレット等であっても良い。
【００２０】
図１および図２を使用して、情報処理システム１０の概要を説明する。試験会場に、受験者の人数分の第２情報処理装置２１が設置されている。それぞれの第２情報処理装置２１は、ネットワークを介して第１情報処理装置１１に接続されている。第１ＣＰＵ１２は、それぞれの第２ＣＰＵ２２に試験の問題を送信する。第２ＣＰＵ２２は、表示部２６に問題を表示し、入力部２９を介して受験者の解答を取得する。第２ＣＰＵ２２は、主記憶装置２３または補助記憶装置２４に、問題ごとに解答を記憶する。
【００２１】
試験時間の終了後、それぞれの第２ＣＰＵ２２は、第１ＣＰＵ１２に答案を送信する。第１ＣＰＵ１２は、受信した答案を答案ＤＢ３３に記録する。以上で試験会場における試験は終了する。なお、答案ＤＢ３３の詳細については、後述する。
【００２２】
第１ＣＰＵ１２は、答案ＤＢ３３に記録された答案を表示部１６に表示する。教師等の採点者は、表示部１６に表示された答案を目視確認して、採点する。第１ＣＰＵ１２は、受付部１７を介して、採点者による採点結果を受け付けて、答案ＤＢ３３に記録する。答案ＤＢ３３は、本実施の形態の記録部の一例である。
【００２３】
図３は、採点者による採点操作を説明する説明図である。第１ＣＰＵ１２は、表示部１６に問題欄５５および解答欄５６を表示する。表示部１６は、本実施の形態の文書表示部の一例である。解答欄５６には、受験者が指またはスタイラスペン等を使用してタッチパネルに入力した手書き文字の解答が表示されている。解答欄５６は、採点者が正誤を評価する評価対象部の一例である。
【００２４】
採点者が解答欄５６に短時間触れる、いわゆるタップ操作を行うと、第１ＣＰＵ１２は、解答欄５６の隣に設けられた採点欄５７に正答を意味する丸印を表示する。採点者が同じ解答欄５６に２回目のタップ操作を行うと、第１ＣＰＵ１２は、採点欄５７の丸印を、誤答を意味するバツ印に変更する。採点者が同じ解答欄５６に三回目のタップ操作を行うと、第１ＣＰＵ１２は、採点欄５７のバツ印を、部分点を意味する三角印に変更する。採点者が同じ解答欄５６に４回目のタップ操作を行うと、第１ＣＰＵ１２は、採点欄５７の三角印を、正答を意味する丸印に変更する。
【００２５】
以上のように、第１ＣＰＵ１２は、解答欄５６にタップ操作を受け付けるたびに、対応する採点欄５７に表示する採点結果を切り替える。したがって、採点者はマウスやキーボード等を使用せず、タップ操作により採点を行うことができる。
【００２６】
ここで、丸印、バツ印、三角印は、採点内容を示す採点記号の一例である。採点欄５７は、採点者による解答欄５６、すなわち評価対象部に対する評価を、採点記号により表示する欄である。採点欄５７は、本実施の形態の評価表示部の一例である。
【００２７】
すべての問題に対する採点を受け付けた後に、第１ＣＰＵ１２は採点結果に基づいて各解答欄５６に対して与えられた配点を集計して、答案の点数を算出する。集計の詳細については後述する。
【００２８】
第１ＣＰＵ１２は、４回目のタップ操作を受け付けた場合に採点欄５７を空欄にし、五回目のタップ操作を受け付けた場合に採点欄５７に丸印を表示しても良い。第１ＣＰＵ１２が採点欄５７に表示する記号は、丸印と、バツ印の２通りであっても良い。第１ＣＰＵ１２が採点欄５７に表示する記号は、二重丸印等を加えた４通り以上であっても良い。
【００２９】
図４は、受験者ＤＢ３１のレコードレイアウトを示す説明図である。受験者ＤＢ３１は、受験者ＩＤ（Identifier）と、受験者の学年、組、番号および名前を関連づけるＤＢである。受験者ＤＢ３１は、受験者ＩＤフィールド、学年フィールド、組フィールド、番号フィールド、名前フィールドおよびなまえフィールドを有する。受験者ＤＢ３１は、一人の受験者について一つのレコードを有する。
【００３０】
受験者ＩＤフィールドには、受験者を識別可能な固有のＩＤが記録されている。学年フィールドには、受験者の属する学年が記録されている。組フィールドには、受験者の属するクラスが記録されている。番号フィールドには、受験者の出席番号が記録されている。名前フィールドには、受験者の氏名が記録されている。なまえフィールドには、受験者のかな氏名が記録されている。
【００３１】
図５は、問題ＤＢ３２のレコードレイアウトを示す説明図である。問題ＤＢ３２は、試験問題と各問題の正解および正解である場合に与えられる配点を関連づけるＤＢである。問題ＤＢ３２は、試験ＩＤフィールド、問題ファイルフィールド、問題番号フィールド、問題フィールド、正解フィールド、配点フィールド、および解答欄フィールドを有する。問題ＤＢ３２は、一つの問題について一つのレコードを有する。
【００３２】
試験ＩＤフィールドには、試験問題を識別可能な固有のＩＤが記録されている。問題ファイルフィールドには、試験問題のファイルが記録されている。試験問題のファイルは、たとえばワープロのファイル形式、表計算ソフトのファイル形式、ＰＤＦ（Portable Document Format）形式、ＨＴＭＬ（Hyper  Text Markup Language）形式、ＥＰＵＢ（Electronic Publication）形式、ビットマップ形式、ＰＮＧ（Portable Network Graphics）形式等の、任意の形式を使用することが可能である。
【００３３】
試験問題自体は独立した別のファイルに記録され、問題ファイルフィールドには、試験問題のファイルの保管先が記録されていても良い。
【００３４】
問題番号フィールドには、問題番号が記録されている。問題フィールドには、試験問題が記録されている。正解フィールドには、正解が記録されている。配点フィールドには、正解である場合に与えられる配点が記録されている。解答欄フィールドには、文書ファイル中の解答欄５６（図６参照）の左上角および右下角の座標が記録されている。
【００３５】
図６は、問題ファイルの例を示す説明図である。問題ファイルは、学年欄５１、クラス欄５２、番号欄５３、名前欄５４、問題欄５５および解答欄５６を有する。問題欄５５には試験問題が表示される。解答欄５６には、受験者による解答が記入される。
【００３６】
問題ファイルは、図６の下方にさらに連続しており、スクロール操作が可能であっても良い。問題ファイルは、複数のページに分かれており、ページ送り操作が可能であっても良い。
【００３７】
図７は、採点記号ＤＢ３４のレコードレイアウトを示す説明図である。採点記号ＤＢ３４は、採点に使用する採点記号の図形と、点数の割合とを関連づけるＤＢである。採点記号ＤＢ３４は、記号フィールドと割合フィールドとを有する。採点記号ＤＢ３４は、一つの採点記号について一つのレコードを有する。なお、採点記号は、文字または符号であっても良い。
【００３８】
記号フィールドには、採点に使用する採点記号の図形が記録されている。割合フィールドには、正解である場合に与えられる配点のうちの何パーセントの点数が与えられるかが記録されている。たとえば、採点者が丸の記号を選択した場合には、正解である場合に与えられる配点の１００パーセントの点数が与えられる。採点者がバツの記号を選択した場合には、点数が与えられない。採点者が三角の記号を選択した場合には、正解である場合に与えられる配点の５０パーセントの点数が与えられる。
【００３９】
図８は、答案の例を示す説明図である。図６を使用して説明した問題ファイル中の、学年欄５１、クラス欄５２、番号欄５３、名前欄５４および解答欄５６にそれぞれ記入が行なわれている。
【００４０】
解答欄５６には、受験者が指またはスタイラスペン等を使用してタッチパネルに入力した手書きの解答が記入されている。解答欄５６には、受験者がキーボード等を使用して入力した文字または文章等が記入されても良い。解答欄５６には、受験者がタッチパネル等を使用して選択した選択肢等が記入されても良い。
【００４１】
学年欄５１、クラス欄５２、番号欄５３および名前欄５４には、第２情報処理装置２１を使用する受験者の受験者ＩＤに基づいて、第２ＣＰＵ２２が図４を使用して説明した受験者ＤＢ３１から抽出したデータが記録される。
【００４２】
なお、受験者ＩＤは、たとえば第２情報処理装置２１を起動する際に、パスワードと共に入力される。第２情報処理装置２１を特定のユーザが占有して使用する場合には、第２情報処理装置２１の補助記憶装置２４に受験者ＩＤが記憶されていても良い。
【００４３】
図９は、答案ＤＢ３３のレコードレイアウトを示す説明図である。答案ＤＢ３３は、試験ＩＤフィールド、問題番号フィールド、正解フィールド、解答フィールドおよび採点結果フィールドを有する。解答フィールドは、受験者ごとのサブフィールドを有する。採点結果フィールドは、受験者ごとのサブフィールドを有する。採点結果フィールドの各サブフィールドは、記号フィールドおよび点数フィールドを有する。答案ＤＢ３３は、一つの問題について一つのレコードを有する。
【００４４】
試験ＩＤフィールドには、試験問題を識別可能な固有のＩＤが記録されている。問題番号フィールドには、問題番号が記録されている。正解フィールドには、正解が記録されている。
【００４５】
解答フィールドには、受験者が図８を使用して説明した解答欄５６に入力した解答が記録されている。第１ＣＰＵ１２は、図８を使用して説明した答案から、図５を使用して説明した問題ＤＢ３２の解答欄フィールドを参照して、それぞれの問題の解答欄５６に入力された解答を切り取り、答案ＤＢ３３の解答フィールドに記録する。
【００４６】
記号フィールドには、受験者の解答に対して採点者が選択した採点記号が記録されている。点数フィールドには、受験者の解答に対して採点者が与えた点数が記録されている。第１ＣＰＵ１２は、図５を使用して説明した問題ＤＢ３２の配点フィールドに記録された配点と、図７を使用して説明した採点記号ＤＢ３４の割合フィールドに記録されたパーセンテージとを積算することにより、点数フィールドに記録する点数を算出する。
【００４７】
図１０は、採点結果を示す説明図である。図８を使用して説明した答案に、採点欄５７および点数欄５８が追加されている。採点欄５７には、採点者が選択した採点記号が表示されている。点数欄５８には、図９を使用して説明した点数フィールドに記録された点数を受験者ごとに集計して算出した点数が表示されている。
【００４８】
第１ＣＰＵ１２は、図１０に示す採点結果をたとえば次回の授業時間中に第２情報処理装置２１に送信することにより、採点結果を受験者に返却する。第１ＣＰＵ１２は、メール等により採点結果を受験者または保護者等に返却しても良い。
【００４９】
第１ＣＰＵ１２は、答案ＤＢ３３に記録されたデータを集計して、問題ごとの正答率、受験者の成績分布、それぞれの受験者の成績の偏差値等を算出する。具体的な集計方法および集計結果の表示方法については、従来から種々行なわれているので説明を省略する。
【００５０】
図１１は、プログラムの処理の流れを示すフローチャートである。第１ＣＰＵ１２は、問題ＤＢ３２から問題ファイルを取得して、第２ＣＰＵ２２に送信する（ステップＳ５０１）。第２ＣＰＵ２２は、送信された問題ファイルを受信する（ステップＳ６０１）。
【００５１】
第２ＣＰＵ２２は、第２情報処理装置２１を使用中の受験者の受験者ＩＤを送信する（ステップＳ６０２）。第１ＣＰＵ１２は、受験者ＩＤを受信する（ステップＳ５０２）。第１ＣＰＵ１２は、受信した受験者ＩＤをキーとして、受験者ＤＢ３１からレコードを抽出し、受験者の学年、組、番号、名前等の情報を送信する（ステップＳ５０３）。
【００５２】
第２ＣＰＵ２２は、受験者に関する情報を受信する（ステップＳ６０３）。第２ＣＰＵ２２は、問題ファイルの学年欄５１、クラス欄５２、番号欄５３および名前欄５４に、受信した情報を記載する。
【００５３】
第１ＣＰＵ１２は、それぞれの第２ＣＰＵ２２に対して試験の開始合図を送信する（ステップＳ５０４）。第２ＣＰＵ２２は、開始合図を受信する（ステップＳ６０４）。第２ＣＰＵ２２は、表示部２６に問題ファイルを表示する（ステップＳ６０５）。ステップＳ６０５の処理により、各受験者は一斉に試験を開始することができる。
【００５４】
第２ＣＰＵ２２は、入力部２９を介して受験者の解答を取得し、主記憶装置２３または補助記憶装置２４に記憶する（ステップＳ６０６）。なお、第２ＣＰＵ２２は、解答を取得する都度ネットワークを介して第１情報処理装置１１または外部の記憶装置に送信しても良い。教師等が、受験者の解答をリアルタイムで確認することにより、それぞれの受験者の理解の程度や、問題の難易度の適切さ等を確認することができる。
【００５５】
第１ＣＰＵ１２は、タイマーにより所定の試験時間の経過を測定する（ステップＳ５０５）。第１ＣＰＵ１２は、それぞれの第２ＣＰＵ２２に対して試験終了の合図を送信する（ステップＳ５０６）。なお、第１ＣＰＵ１２は、教師等による指示を受け付けて、試験終了の合図を送信しても良い。
【００５６】
第２ＣＰＵ２２は、試験終了の合図を受信する（ステップＳ６０７）。第２ＣＰＵ２２は、受験者からの解答の受け付けを停止し、答案を第１ＣＰＵ１２に送信する（ステップＳ６０８）。
【００５７】
たとえば受験者が自宅で試験を受ける場合等、複数の受験者が試験を同時に開始し、同時に終了する必要が無い場合には、第２ＣＰＵ２２が試験時間を計測し、所定の時間に受験者からの解答の受け付けを停止しても良い。
【００５８】
第１ＣＰＵ１２は、答案を受信する（ステップＳ５０７）。第１ＣＰＵ１２は、それぞれの答案の解答欄５６を切り取り、答案ＤＢ３３の解答フィールドに記録する（ステップＳ５０８）。なお、ステップＳ５０８の時点では、答案ＤＢ３３の採点結果フィールドは空欄である。
【００５９】
第１ＣＰＵ１２は採点のサブルーチンを起動する（ステップＳ５０９）。採点のサブルーチンは、採点者による採点を受け付けて、答案ＤＢ３３の採点結果フィールドに記録するサブルーチンである。採点のサブルーチンの処理の流れは後述する。
【００６０】
第１ＣＰＵ１２は、答案ＤＢ３３の採点結果フィールドに記録されたデータを集計する（ステップＳ５１０）。集計する項目は、たとえば問題ごとの正答率、受験者の成績分布、それぞれの受験者の成績の偏差値等である。具体的な集計方法および集計結果の表示方法については、従来から種々行なわれているので説明を省略する。その後、第１ＣＰＵ１２は処理を終了する。
【００６１】
図１２は、採点のサブルーチンの処理の流れを示すフローチャートである。第１ＣＰＵ１２は、カウンタＩを初期値１に設定する（ステップＳ５２１）。第１ＣＰＵ１２は、表示部１６にＩ人目の受験者の答案を表示する（ステップＳ５２２）。
【００６２】
第１ＣＰＵ１２は、図３を使用して説明したように解答欄５６へのタップを受け付ける（ステップＳ５２３）。第１ＣＰＵ１２は、タップを受け付けた座標をキーとして、問題ＤＢ３２の解答欄フィールドを検索して、タップを受け付けた問題レコードを抽出する。第１ＣＰＵ１２は、抽出した問題レコード中の、Ｉ人目の受験者に関する記号フィールドより、タップを受け付けた解答欄５６に対する前回の評価、すなわちタップを受け付けた時点で採点欄５７に表示されている採点記号を取得する（ステップＳ５２４）。
【００６３】
第１ＣＰＵ１２は、所定の採点記号の順番に沿って、ステップＳ５２４で取得した評価の次の順番の評価に、評価を変更する（ステップＳ５２５）。具体的には、第１ＣＰＵ１２は答案ＤＢ３３の記号フィールドおよび答案の採点欄５７に記載する採点記号を、図３の上側に矢印のサイクルで示した次の順番の採点記号に変更する。
【００６４】
第１ＣＰＵ１２は、答案ＤＢ３３の点数フィールドに記録する点数を算出する（ステップＳ５２６）。具体的には、第１ＣＰＵ１２は、問題ＤＢ３２の配点フィールドに記録された配点と、図７を使用して説明した採点記号ＤＢ３４の割合フィールドに記録されたパーセンテージとを積算することにより、点数フィールドに記録する点数を算出する。第１ＣＰＵ１２は、答案ＤＢ３３の点数フィールドに点数を記録する。
【００６５】
第１ＣＰＵ１２は、Ｉ番目の受験者のすべての問題の採点が終了したか否かを判定する（ステップＳ５２７）。終了していないと判定した場合（ステップＳ５２７でＮＯ）、第１ＣＰＵ１２はステップＳ５２３に戻る。ここで第１ＣＰＵ１２は、採点が終了していない問題を目立つようにハイライト表示しても良い。第１ＣＰＵ１２は、採点が終了してない問題が表示部１６に表示されるように、自動スクロールまたは自動ページ送り等をしても良い。
【００６６】
終了したと判定した場合（ステップＳ５２７でＹＥＳ）、第１ＣＰＵ１２は点数フィールドに記載された点数を合計して、Ｉ番目の受験者の合計点を算出する（ステップＳ５２８）。以上で、第１ＣＰＵ１２はＩ番目の受験者の答案の採点結果の取得および記録を完了する。
【００６７】
第１ＣＰＵ１２は、すべての受験者の答案の採点が終了したか否かを判定する（ステップＳ５２９）。終了していないと判定した場合（ステップＳ５２９でＮＯ）、第１ＣＰＵ１２はカウンタＩに１を加算する（ステップＳ５３０）。第１ＣＰＵ１２はステップＳ５２２に戻る。
【００６８】
終了していると判定した場合（ステップＳ５２９でＹＥＳ）、第１ＣＰＵ１２は処理を終了する。
【００６９】
本実施の形態によると、採点者は解答欄５６に記載された筆跡を目視して、タップすることにより採点を行うことが可能である。キーボード、マウス等を使用する場合に比べて手に対する負担を軽減することができる。そのため、疲労が少なく、腱鞘炎等の発症のおそれも低減することができる。
【００７０】
本実施の形態によると、画面のタップにより採点を行うので、採点者が利き腕を怪我している場合等でも、容易に採点を行うことが可能である。
【００７１】
本実施の形態によると、解答欄５６の筆跡を目視して採点するので、たとえば文字の形が整わず、ＯＣＲ（Optical character recognition）による文字認識の利用が難しい、低学年の児童の答案を採点することが可能である。また、漢字の書き取り試験など、ＯＣＲまたはマークシート方式に適さない試験を採点する際の、採点者の身体的な負荷を軽減することが可能である。
【００７２】
本実施の形態によると、短文の作成問題など、コンピュータによる採点に適さない問題を採点する採点者の身体的な負担を低減することが可能である。
【００７３】
本実施の形態によると、丸とバツだけでなく、三角などの採点記号を使用して、中間点を与える採点を容易に行うことができる。そのため、たとえば算数の文章題等で、部分点を与える採点を容易に行うことができる。
【００７４】
まずＯＣＲを用いて採点を行い、ＯＣＲでの認識の確度が低い、すなわち誤認識の可能性がある解答欄５６を抽出して、本実施の形態により採点しても良い。ＯＣＲによる採点と人間の眼による採点とを組み合わせることにより、短時間で正確に採点することが可能である。
【００７５】
試験の終了後に、受験者が自分の答案を自己採点しても良い。第２ＣＰＵ２２は、表示部２６に答案を表示し、入力部２９を介して解答欄５６のタップを受け付け、採点欄５７に採点記号を表示する。
【００７６】
受験者同士が答案を交換して、相互に採点しても良い。第２ＣＰＵ２２は、ネットワークを介して他の受験者の答案を取得する。第２ＣＰＵ２２は、表示部２６に取得した答案を表示し、入力部２９を介して解答欄５６のタップを受け付け、採点欄５７に採点記号を表示する。
【００７７】
答案ＤＢ３３に、各受験者の自己採点フィールドまたは相互採点フィールドを設けても良い。採点者は、自己採点フィールドまたは相互採点フィールドに記録された受験者の採点を参照し、受験者の誤解等の有無を確認することが可能である。
【００７８】
たとえば、自由記入形式のアンケート回答の仕分け、一般公募した標語等の仕分け等、人間が目視で内容を確認して評価する必要がある様々な場面で、本実施の形態の情報処理装置を利用することが可能である。
【００７９】
［実施の形態２］
本実施の形態は、受験者がデジタルペン３９を使用して解答を行う情報処理システム１０に関する。実施の形態１と共通する部分については、説明を省略する。
【００８０】
図１３は、実施の形態２の受験者が試験に解答するシステムの構成を示す説明図である。本実施の形態においては、問題を印刷した答案用紙３８が各受験者に配布される。答案用紙３８には、学年欄５１、クラス欄５２、番号欄５３、名前欄５４、問題欄５５および解答欄５６が印刷されている。受験者は、デジタルペン３９を使用して、答案用紙３８に解答等を記入する。
【００８１】
デジタルペン３９について簡単に説明する。デジタルペン３９は、インクを使って紙に筆記を行いながら、筆記した筆跡をコンピュータに送信する筆記用具である。筆跡を検出する方法は、種々実用化されている。本実施の形態においては、微細なドットパターンが印刷された用紙を使用して、ペン先に設けた赤外線センサによりドットパターンを読み取り、ペン先の動きを検出するデジタルペン３９を例にして説明する。このようなデジタルペン３９では、受験者は第２情報処理装置２１等の電子機器の存在を意識せずに、紙に筆記することにより答案を作成することができる。
【００８２】
本実施の形態の第２情報処理装置２１は、第２ＣＰＵ２２、主記憶装置２３、補助記憶装置２４、通信部２５、表示部２６、入力部２９、接続部２８およびバスを備える。本実施の形態の第２情報処理装置２１は、汎用のパソコン、タブレット、スマートフォン等の情報機器である。第２情報処理装置２１は、児童または生徒向けの学習用専用端末であっても良い。
【００８３】
接続部２８は、デジタルペン３９と無線通信を行い、筆跡を取得する。接続部２８とデジタルペン３９とは、有線で接続されていても良い。接続部２８は、複数のデジタルペン３９と並行して通信を行い、それぞれのデジタルペン３９で書かれた筆跡を取得しても良い。接続部２８は、ＵＳＢ（Universal Serial Bus）ポート等の汎用のインターフェイスを介して、第２情報処理装置２１に取り付けられても良い。
【００８４】
本実施の形態においては、試験会場で受験者に問題欄５５と解答欄５６とが印刷された答案用紙３８が配布される。受験者は、デジタルペン３９を用いて答案用紙３８に手書きで名前等および解答を記入する。第２ＣＰＵ２２は、デジタルペン３９から受験者が記入した解答を取得し、記録する。
【００８５】
図１４は、実施の形態２のプログラムの処理の流れを示すフローチャートである。第１ＣＰＵ１２は、それぞれの第２ＣＰＵ２２に対して試験の開始合図を送信する（ステップＳ５４１）。あわせて第１ＣＰＵ１２は、たとえばネットワークを介して接続されたスピーカ等を介して、受験者に対して試験の開始を通知する。第２ＣＰＵ２２は、開始合図を受信し、受験者の回答の受付を開始する（ステップＳ６２１）。受験者は、答案用紙３８を開き、解答を開始する。第２ＣＰＵ２２は、デジタルペン３９を介して受験者の解答を取得し、記録する（ステップＳ６２２）。
【００８６】
第１ＣＰＵ１２は、タイマーにより所定の試験時間の経過を測定する（ステップＳ５０５）。以後の処理は、図１１を使用して説明した実施の形態１と同一であるので、説明を省略する。
【００８７】
デジタルペン３９にメモリを搭載し、受験者の筆跡を記録し、試験終了後に第１ＣＰＵ１２に送信しても良い。この場合、試験会場では第１情報処理装置１１および第２情報処理装置２１を使用せず、スタンドアロンでデジタルペン３９を使用しても良い。
【００８８】
第１ＣＰＵ１２は、通常のペンを用いて作成された答案を、図示しないスキャナを介して取得しても良い。この場合、試験会場では第１情報処理装置１１、第２情報処理装置２１およびデジタルペン３９を使用しない。第１ＣＰＵ１２は、それぞれの答案の解答欄５６を切り取り、答案ＤＢ３３の解答フィールドに記録する（ステップＳ５０８）。第１ＣＰＵ１２は、採点のサブルーチンを起動する（ステップＳ５０９）。
【００８９】
本実施の形態によると、名前欄５４等についても手書きの筆跡を受け付けることができる。たとえば、受験者が小学校低学年の児童である場合には、採点者はこれらの書誌的事項が正しく書けているか否かも、評価および指導の対象とすることができる。
【００９０】
［実施の形態３］
本実施の形態は、複数の位置のタップを受け付けることが可能な、いわゆるマルチタップ型のタッチパネルを用いた情報処理システム１０に関する。実施の形態１と異なる部分については、説明を省略する。
【００９１】
図１５は、実施の形態３の採点記号ＤＢ３４のレコードレイアウトを示す説明図である。採点記号ＤＢ３４は、採点に使用する採点記号と、点数の割合とを関連づけるＤＢである。本実施の形態の採点記号ＤＢ３４は、タップ数フィールド、記号フィールドおよび配点フィールドを有する。採点記号ＤＢ３４は、一つのタップ数について一つのレコードを有する。
【００９２】
タップフィールドには、１から始まる連番で整数が記録されている。記号フィールドには、採点に使用する採点記号が記録されている。配点フィールドには、配点のうちの何パーセントの点数が与えられるかが記録されている。
【００９３】
たとえば、採点者が番号１の丸の記号を選択した場合には、配点の１００パーセントの点数が与えられる。採点者が番号２のいわゆる花丸の記号を選択した場合にも、配点の１００パーセントの点数が与えられる。すなわち、同一の点数であっても、特に良い解答に対して花丸を与えることにより、受験者に対して高評価を伝え、意欲付けに役立てることができる。
【００９４】
図１６は、実施の形態３の採点のサブルーチンの処理の流れを示すフローチャートである。本実施の形態の採点のサブルーチンは、図１２を使用して説明した実施の形態１の採点のサブルーチンの代わりに使用するサブルーチンである。
【００９５】
第１ＣＰＵ１２は、カウンタＩを初期値１に設定する（ステップＳ５２１）。第１ＣＰＵ１２は、表示部１６にＩ人目の受験者の答案を表示する（ステップＳ５２２）。
【００９６】
第１ＣＰＵ１２は、受付部１７を介して解答欄５６へのマルチタップを受け付ける（ステップＳ５５１）。第１ＣＰＵ１２は、受け付けたタップの数およびそれぞれのタップの座標を取得する。
【００９７】
第１ＣＰＵ１２は、受け付けたタップの数をキーとして、採点記号ＤＢ３４を検索し、採点記号レコードを抽出する（ステップＳ５５２）。第１ＣＰＵ１２は、受け付けたタップの代表座標を算出する（ステップＳ５５３）。代表座標は、たとえば受け付けたタップの重心の座標である。代表座標は、最も長時間タップを受け付けた座標であっても良い。
【００９８】
第１ＣＰＵ１２は、代表座標をキーとして、問題ＤＢ３２の解答欄フィールドを検索して、タップを受け付けた問題レコードを抽出する。第１ＣＰＵ１２は、抽出した問題レコードの解答欄５６の隣に配置された採点欄５７に、ステップＳ５５２で抽出した採点レコードの採点記号フィールドに記録された採点記号を表示する。
【００９９】
第１ＣＰＵ１２は、答案ＤＢ３３の点数フィールドに記録する点数を算出する（ステップＳ５５４）。具体的には、第１ＣＰＵ１２は、問題ＤＢ３２の配点フィールドに記録された配点と、採点記号ＤＢ３４の割合フィールドに記録されたパーセンテージとを積算することにより、点数フィールドに記録する点数を算出する。第１ＣＰＵ１２は、答案ＤＢ３３の点数フィールドに点数を記録する。
【０１００】
第１ＣＰＵ１２は、Ｉ番目の受験者のすべての問題の採点が終了したか否かを判定する（ステップＳ５５５）。終了していないと判定した場合（ステップＳ５５５でＮＯ）、第１ＣＰＵ１２はステップＳ５５１に戻る。
【０１０１】
終了したと判定した場合（ステップＳ５５５でＹＥＳ）、第１ＣＰＵ１２は点数フィールドに記載された点数を合計して、Ｉ番目の受験者の合計点を算出する（ステップＳ５５６）。以上で、第１ＣＰＵ１２はＩ番目の受験者の答案の採点結果の取得および記録を完了する。
【０１０２】
第１ＣＰＵ１２は、すべての受験者の答案の採点が終了したか否かを判定する（ステップＳ５５７）。終了していないと判定した場合（ステップＳ５５７でＮＯ）、第１ＣＰＵ１２はカウンタＩに１を加算する（ステップＳ５５８）。第１ＣＰＵ１２はステップＳ５２２に戻る。
【０１０３】
終了していると判定した場合（ステップＳ５５７でＹＥＳ）、第１ＣＰＵ１２は処理を終了する。
【０１０４】
本実施の形態によると、１本から３本の指を用いた１回のタップにより、３種類の採点記号を使い分けることが可能であるため、採点者の身体的な負担を低減することが可能である。
【０１０５】
マルチタップの検出タップ数が多いタッチパネルを使用して、採点者が両手を使って採点することにより、最大１０種類の採点記号を使い分けることが可能である。なお、たとえば採点者が３本指タップと２本指タップとを連続して行った場合に、第１ＣＰＵ１２は、５点のタップを受け付けたと判定しても良い。
【０１０６】
［実施の形態４］
本実施の形態は、画面に触れた指を払うように動かす、いわゆるフリック操作により採点記号の選択を受け付ける情報処理システム１０に関する。実施の形態１と異なる部分については、説明を省略する。
【０１０７】
図１７は、実施の形態４の採点記号ＤＢ３４のレコードレイアウトを示す説明図である。採点記号ＤＢ３４は、採点に使用する採点記号と、点数の割合とを関連づけるＤＢである。本実施の形態の採点記号ＤＢ３４は、向きフィールドと、記号フィールドと、減点フィールドとを有する。採点記号ＤＢ３４は、一つの向きについて一つのレコードを有する。
【０１０８】
向きフィールドには、フリック操作で払う向きが記録されている。記号フィールドには、採点に使用する採点記号が記録されている。減点フィールドには、配点のうちのどれだけの点数が減点されるが記録されている。たとえば、採点者が一番上の記号を選択した場合には、減点されない。採点者が上から２番目の記号を選択した場合には、１点減点される。採点者が上から３番目の記号を選択した場合には、配点の半分の点数が与えられる。採点者が一番下の記号を選択した場合には、配点が全部減点され、点数が与えられない。
【０１０９】
なお、採点記号には、たとえば「大変良くできました」「良くできました」「がんばろう」等の文字が記載された絵柄を用いても良い。児童、生徒などの受験者の間で流行しているキャラクター等を利用した絵柄を用いても良い。
【０１１０】
図１８は、実施の形態４の採点操作を説明する説明図である。第１ＣＰＵ１２は、表示部１６に問題欄５５および解答欄５６を表示する。解答欄５６には、受験者が指またはスタイラスペン等を使用してタッチパネルに入力した手書き文字の解答が表示されている。
【０１１１】
採点者が解答欄５６に触れた指を払うように動かす、いわゆるフリック操作を行うと、第１ＣＰＵ１２は、フリック操作の向きに応じた採点記号を採点欄５７に表示する。フリック操作の向きと、採点記号との関係を、図１８の上側に示す。図１８においては、第１ＣＰＵ１２は、上向きのフリック操作を受け付け、対応する採点記号を採点欄５７に表示する。
【０１１２】
以上のように、第１ＣＰＵ１２は、解答欄５６にフリック操作を受け付けることにより、対応する採点欄５７に採点結果を表示する。したがって、採点者はマウスやキーボード等を使用せず、フリック操作により採点を行うことができる。
【０１１３】
図１９は、実施の形態４の採点のサブルーチンの処理の流れを示すフローチャートである。本実施の形態の採点のサブルーチンは、図１２を使用して説明した実施の形態１の採点のサブルーチンの代わりに使用するサブルーチンである。
【０１１４】
第１ＣＰＵ１２は、カウンタＩを初期値１に設定する（ステップＳ５２１）。第１ＣＰＵ１２は、表示部１６にＩ人目の受験者の答案を表示する（ステップＳ５２２）。
【０１１５】
第１ＣＰＵ１２は、受付部１７を介して解答欄５６へのフリック操作を受け付ける（ステップＳ５７１）。第１ＣＰＵ１２は、受け付けたフリック操作の向きをキーとして、採点記号ＤＢ３４を検索し、採点記号レコードを抽出する（ステップＳ５７２）。
【０１１６】
第１ＣＰＵ１２は、フリックを受け付けた座標をキーとして、問題ＤＢ３２の解答欄フィールドを検索して、タップを受け付けた問題レコードを抽出する。第１ＣＰＵ１２は、抽出した問題レコードの解答欄５６の隣に配置された採点欄５７に、ステップＳ５７２で抽出した採点レコードの採点記号フィールドに記録された採点記号を表示する。
【０１１７】
第１ＣＰＵ１２は、答案ＤＢ３３の点数フィールドに記録する点数を算出する（ステップＳ５７４）。具体的には、第１ＣＰＵ１２は、問題ＤＢ３２の配点フィールドに記録された配点から、採点記号ＤＢ３４の減点フィールドに記録された点数を減算することにより、点数フィールドに記録する点数を算出する。第１ＣＰＵ１２は、答案ＤＢ３３の点数フィールドに点数を記録する。
【０１１８】
第１ＣＰＵ１２は、Ｉ番目の受験者のすべての問題の採点が終了したか否かを判定する（ステップＳ５７５）。終了していないと判定した場合（ステップＳ５７５でＮＯ）、第１ＣＰＵ１２はステップＳ５７１に戻る。
【０１１９】
終了したと判定した場合（ステップＳ５７５でＹＥＳ）、第１ＣＰＵ１２は点数フィールドに記載された点数を合計して、Ｉ番目の受験者の合計点を算出する（ステップＳ５７６）。以上で、第１ＣＰＵ１２はＩ番目の受験者の答案の採点結果の取得および記録を完了する。
【０１２０】
第１ＣＰＵ１２は、すべての受験者の答案の採点が終了したか否かを判定する（ステップＳ５７７）。終了していないと判定した場合（ステップＳ５７７でＮＯ）、第１ＣＰＵ１２はカウンタＩに１を加算する（ステップＳ５７８）。第１ＣＰＵ１２はステップＳ５２２に戻る。
【０１２１】
終了していると判定した場合（ステップＳ５７７でＹＥＳ）、第１ＣＰＵ１２は処理を終了する。
【０１２２】
本実施の形態によると、１回のフリック操作により、４種類の採点記号を使い分けることが可能であるため、採点者の身体的な負担を低減することが可能である。なお、第１ＣＰＵ１２は、フリックの向きを５種類以上に分けて検出しても良い。
【０１２３】
［実施の形態５］
本実施の形態は、採点の進捗状況を表示する第１情報処理装置１１に関する。実施の形態１と共通する部分については、説明を省略する。
【０１２４】
図２０は、実施の形態５の採点画面を示す説明図である。第１ＣＰＵ１２は、表示部１６に図２０に示す採点画面を表示する。採点画面は、答案欄５９、未採点表示ボタン６１、終了ボタン６２および採点状況欄６３を含む。
【０１２５】
答案欄５９には、採点中の答案の問題欄５５、解答欄５６および採点欄５７が表示される。採点状況欄６３には、採点対象の受験者の番号が一覧表示される。採点中の受験者の番号に、処理中マーク６４が表示される。採点が終了した受験者の番号に、完了マーク６５が表示される。採点に着手したが終了していない受験者の番号に、途中マーク６６が表示される。
【０１２６】
採点者は、実施の形態１から実施の形態４までと同様に、解答欄５６のタップまたはフリック等により、各問題を採点する。未採点の問題が残っている状態で採点状況欄６３の番号の選択を受け付けた場合、第１ＣＰＵ１２は、採点状況欄６３の採点していた答案に対応する番号に処理中マーク６４を表示するとともに、選択を受け付けた番号に対応する答案を答案欄５９に表示する。
【０１２７】
未採点の問題が残っていない状態で採点状況欄６３の番号の選択を受け付けた場合、第１ＣＰＵ１２は、採点状況欄６３の採点していた答案に対応する番号に完了マーク６５を表示するとともに、選択を受け付けた番号に対応する答案を答案欄５９に表示する。
【０１２８】
未採点表示ボタン６１の選択を受け付けた場合、第１ＣＰＵ１２は答案欄５９に表示中の答案のスクロール等を行い、未採点の問題を表示する。なお、答案欄５９に表示した答案に未採点の問題が無い場合、第１ＣＰＵ１２は未採点表示ボタン６１を選択できない状態に設定しても良い。
【０１２９】
すべての答案の、すべての問題の採点が終了した場合、第１ＣＰＵ１２は、終了ボタン６２を選択可能な状態にする。終了ボタン６２の選択を受け付けた場合、第１ＣＰＵ１２は、採点結果の集計を行う。
【０１３０】
以上に説明したように、完了マーク６５および処理中マーク６４が表示された採点状況欄６３により、採点者は採点の進捗状況を把握することが可能である。また、採点状況欄６３を選択することにより、採点者は任意の答案を選択して採点を行える。
【０１３１】
未採点表示ボタン６１を選択することにより、採点者は採点漏れした問題を答案欄５９に容易に表示して、採点することが可能である。
【０１３２】
図２１は、実施の形態５の採点のサブルーチンの処理の流れを示すフローチャートである。第１ＣＰＵ１２は、表示部２６に採点状況欄６３を表示する（ステップＳ５９１）。採点を開始する段階では、採点状況欄６３には採点対象の答案の番号の一覧を表示し、処理中マーク６４および完了マーク６５は表示しない。
【０１３３】
なお、採点者が途中で中止した採点を再開する場合には、第１ＣＰＵ１２は図９を使用して説明した答案ＤＢ３３に基づいて、処理中マーク６４および完了マーク６５を表示する。具体的には、第１ＣＰＵ１２は、すべての記号フィールドに採点結果が記録されている答案に対応する番号に、完了マーク６５を表示する。第１ＣＰＵ１２は、一部の記号フィールドに採点結果が記録されている答案に対応する番号に、処理中マーク６４を表示する。
【０１３４】
第１ＣＰＵ１２は、表示部２６に答案を表示する（ステップＳ５８１）。なお、最初のステップＳ５８１で表示する答案は、任意である。第１ＣＰＵ１２は、たとえば一番小さい番号の受験者の答案を表示する。第１ＣＰＵ１２は、採点状況欄６３から選択を受け付けた番号の受験者の答案を表示しても良い。
【０１３５】
第１ＣＰＵ１２は、図３を使用して説明したように解答欄５６へのタップを受け付けたか否かを判定する（ステップＳ５２３）。受け付けたと判定した場合（ステップＳ５２３でＹＥＳ）、第１ＣＰＵ１２は、タップを受け付けた座標をキーとして、問題ＤＢ３２の解答欄フィールドを検索して、タップを受け付けた問題レコードを抽出する。第１ＣＰＵ１２は、抽出した問題レコード中の、Ｉ人目の受験者に関する記号フィールドより、タップを受け付けた解答欄５６に対する前回の評価、すなわちタップを受け付けた時点で採点欄５７に表示されている採点記号を取得する（ステップＳ５２４）。
【０１３６】
第１ＣＰＵ１２は、所定の採点記号の順番に沿って、ステップＳ５２４で取得した評価の次の順番の評価に、評価を変更する（ステップＳ５２５）。具体的には、第１ＣＰＵ１２は答案ＤＢ３３の記号フィールドおよび答案の採点欄５７に記載する採点記号を、図３の上側に矢印のサイクルで示した次の順番の採点記号に変更する。
【０１３７】
第１ＣＰＵ１２は、答案ＤＢ３３の点数フィールドに記録する点数を算出する（ステップＳ５２６）。具体的には、第１ＣＰＵ１２は、問題ＤＢ３２の配点フィールドに記録された配点と、図７を使用して説明した採点記号ＤＢ３４の割合フィールドに記録されたパーセンテージとを積算することにより、点数フィールドに記録する点数を算出する。第１ＣＰＵ１２は、答案ＤＢ３３の点数フィールドに点数を記録する。
【０１３８】
第１ＣＰＵ１２は、表示部２６に表示中の答案のすべての問題の採点が終了したか否かを判定する（ステップＳ５９２）。具体的には、第１ＣＰＵ１２は答案ＤＢ３３を参照し、表示する答案に対応するすべての記号フィールドに採点記号が記録されている場合に、すべての問題の採点が終了したと判定する。
【０１３９】
すべての問題の採点が終了したと判定した場合（ステップＳ５９２でＹＥＳ）、第１ＣＰＵ１２は、採点状況欄６３の、対応する欄に終了マーク６５を表示する（ステップＳ５９３）。すべての問題の採点が終了していないと判定した場合（ステップＳ５９２でＮＯ）、第１ＣＰＵ１２は、採点状況欄６３の対応する欄に処理中マーク６４を表示する（ステップＳ５９４）。
【０１４０】
ステップＳ５９３、ステップＳ５９４の終了後、またはタップを受け付けていないと判定した場合（ステップＳ５２３でＮＯ）、第１ＣＰＵ１２は、採点状況欄６３から受験者の番号の選択を受け付けたか否かを判定する（ステップＳ５８３）。受け付けたと判定した場合（ステップＳ５８３でＹＥＳ）、第１ＣＰＵ１２はステップＳ５８１に戻り、受け付けた番号の受験者の答案を表示する。
【０１４１】
受け付けていないと判定した場合（ステップＳ５８３でＮＯ）、第１ＣＰＵ１２は表示中の答案に未採点の問題があるか否かを判定する（ステップＳ５８４）。未採点の問題があると判定した場合（ステップＳ５８４でＹＥＳ）、第１ＣＰＵ１２は未採点表示ボタン６１の選択を受け付けたか否かを判定する（ステップＳ５８５）。
【０１４２】
未採点表示ボタン６１の選択を受け付けたと判定した場合（ステップＳ５８５でＹＥＳ）、第１ＣＰＵ１２は、答案欄５９に未採点の問題を表示する（ステップＳ５８６）。未採点表示ボタン６１の選択を受け付けていないと判定した場合（ステップＳ５８５でＮＯ）、またはステップＳ５８６の終了後、第１ＣＰＵ１２はステップＳ５２３に戻る。
【０１４３】
未採点の問題が無いと判定した場合（ステップＳ５８４でＮＯ）、第１ＣＰＵ１２は終了ボタン６２の選択を受け付けたか否かを判定する（ステップＳ５８７）。終了ボタン６２の選択を受け付けていないと判定した場合（ステップＳ５８７でＮＯ）、第１ＣＰＵ１２はステップＳ５２３に戻る。
【０１４４】
終了ボタン６２の選択を受け付けたと判定した場合（ステップＳ５８７でＹＥＳ）、第１ＣＰＵ１２は、答案ごとに答案ＤＢ３３の点数フィールドに記載された点数を合計して、それぞれの受験者の合計点を算出する（ステップＳ５８８）。以上で、第１ＣＰＵ１２は処理を終了する。
【０１４５】
本実施の形態によると、採点者に採点の進捗状況を呈示する第１情報処理装置１１を提供することができる。また、採点者が、任意の答案および任意の問題を選択して採点を行える第１情報処理装置１１を提供することができる。さらに、採点者は採点漏れした問題を答案欄５９に容易に表示して、採点することが可能である。
【０１４６】
［実施の形態６］
本実施の形態は、複数の受験者の答案を、問題ごとにまとめて表示して、採点することが可能な第１情報処理装置１１に関する。実施の形態１と共通する部分については、説明を省略する。
【０１４７】
図２２は、実施の形態６の採点画面を示す説明図である。第１ＣＰＵ１２は、表示部１６に図２２に示す採点画面を表示する。採点画面は、答案欄５９、問題番号欄８１、すべて正答ボタン８３、すべて誤答ボタン８４および次へボタン８５を含む。
【０１４８】
問題番号欄８１には、採点中の問題の番号が表示される。答案欄５９には、受験者ＩＤ欄８６、解答欄５６および採点欄５７の組が複数表示される。すなわち、第１ＣＰＵ１２は、複数の受験者の答案から、問題番号欄８１に表示された番号の問題に対する解答欄５６を切り取って、答案欄５９に表示する。
【０１４９】
採点者は、実施の形態１から実施の形態４までと同様に、解答欄５６のタップまたはフリック等により、各問題を採点する。表示されているすべての解答欄５６が正しい場合、採点者はすべて正答ボタン８３を選択することにより、複数の受験者の解答をいちどに採点することができる。同様に、表示されているすべての解答欄５６が誤りである場合、採点者はすべて誤答ボタン８４を選択することにより、複数の受験者の解答をいちどに採点することができる。
【０１５０】
図２３は、実施の形態６の採点のサブルーチンの処理の流れを示すフローチャートである。第１ＣＰＵ１２は、カウンタＪを初期値１に設定する（ステップＳ７０１）。第１ＣＰＵ１２は、表示部１６に複数の受験者の答案中の、Ｊ番目の解答欄５６を答案欄５９に表示する（ステップＳ７０２）。
【０１５１】
第１ＣＰＵ１２は、図３を使用して説明したように解答欄５６へのタップを受け付ける（ステップＳ７０３）。第１ＣＰＵ１２は、タップを受け付けた座標に基づいて、タップを受け付けた受験者を抽出する。第１ＣＰＵ１２は、答案ＤＢ３３から、Ｉ番目の問題のレコードより、タップを受け付けた受験者の解答欄５６に対する前回の評価、すなわちタップを受け付けた時点で採点欄５７に表示されている採点記号を取得する（ステップＳ７０４）。
【０１５２】
第１ＣＰＵ１２は、所定の採点記号の順番に沿って、ステップＳ７０４で取得した評価の次の順番の評価に、評価を変更する（ステップＳ７０５）。第１ＣＰＵ１２は、答案ＤＢ３３の点数フィールドに記録する点数を算出する（ステップＳ７０６）。第１ＣＰＵ１２は、答案ＤＢ３３の点数フィールドに点数を記録する。
【０１５３】
第１ＣＰＵ１２は、Ｊ番目の問題についてすべての受験者の採点が終了したか否かを判定する（ステップＳ７０７）。終了していないと判定した場合（ステップＳ７０７でＮＯ）、第１ＣＰＵ１２はステップＳ７０３に戻る。ここで第１ＣＰＵ１２は、採点が終了していない問題を目立つようにハイライト表示しても良い。第１ＣＰＵ１２は、採点が終了してない問題が表示部１６に表示されるように、自動スクロールまたは自動ページ送り等をしても良い。
【０１５４】
終了したと判定した場合（ステップＳ７０７でＹＥＳ）、第１ＣＰＵ１２は、すべての問題の採点が終了したか否かを判定する（ステップＳ７０８）。終了していないと判定した場合（ステップＳ７０８でＮＯ）、第１ＣＰＵ１２はカウンタＪに１を加算する（ステップＳ７０９）。第１ＣＰＵ１２はステップＳ７０２に戻る。
【０１５５】
終了したと判定した場合（ステップＳ７０８でＹＥＳ）、第１ＣＰＵ１２は、答案ごとに答案ＤＢ３３の点数フィールドに記載された点数を合計して、それぞれの受験者の合計点を算出する（ステップＳ７１０）。以上で、第１ＣＰＵ１２は処理を終了する。
【０１５６】
本実施の形態によると、問題ごとに解答欄５６を表示する第１情報処理装置１１を提供することができる。採点者は、問題ごとに採点を行うことが可能である。
【０１５７】
［実施の形態７］
本実施の形態は、各問題の採点状況を一覧表示可能な情報処理システム１０に関する。実施の形態１と共通する部分については、説明を省略する。
【０１５８】
図２４は、実施の形態７の採点画面を示す説明図である。第１ＣＰＵ１２は、表示部１６に図２４に示す採点画面を表示する。採点画面は、答案欄５９、採点状況欄６３、拡大ボタン８７、縮小ボタン８８および未採点のみボタン８９を含む。
【０１５９】
答案欄５９には、学年欄５１、クラス欄５２、番号欄５３、名前欄５４、解答欄５６、採点欄５７が縮小表示される。採点状況欄６３には、問題番号と、採点状況が表示される。
【０１６０】
採点者は、実施の形態１から実施の形態４までと同様に、解答欄５６のタップまたはフリック等により、各問題を採点する。第１ＣＰＵ１２は、採点状況欄６３の採点が済んだ問題番号に対応する場所に「済」を表示する。
【０１６１】
採点状況欄６３中の問題番号の選択を受け付けた場合に、第１ＣＰＵ１２は答案欄５９をスクロールして、選択を受け付けた問題を表示する。
【０１６２】
本実施の形態によると、採点済の問題と、未採点の問題とを一覧表示する情報処理システム１０を提供することが可能である。採点者は、採点状況欄６３を参照して、採点漏れを防ぐことができる。
【０１６３】
［実施の形態８］
本実施の形態は、採点中に採点者がコメントを入力可能な第１情報処理装置１１に関する。実施の形態１と共通する部分については、説明を省略する。
【０１６４】
図２５は、実施の形態８の答案ＤＢ３３のレコードレイアウトを示す説明図である。答案ＤＢ３３は、試験ＩＤフィールド、問題番号フィールド、正解フィールド、解答フィールドおよび採点結果フィールドを有する。解答フィールドは、受験者ごとのサブフィールドを有する。採点結果フィールドは、受験者ごとのサブフィールドを有する。採点結果フィールドの各サブフィールドは、記号フィールド、点数フィールドおよびコメントフィールドを有する。答案ＤＢ３３は、一つの問題について一つのレコードを有する。
【０１６５】
試験ＩＤフィールドには、試験問題を識別可能な固有のＩＤが記録されている。問題番号フィールドには、問題番号が記録されている。正解フィールドには、正解が記録されている。
【０１６６】
解答フィールドには、受験者が図８を使用して説明した解答欄５６に入力した解答が記録されている。記号フィールドには、受験者の解答に対して採点者が選択した採点記号が記録されている。点数フィールドには、受験者の解答に対して採点者が与えた点数が記録されている。
【０１６７】
コメントフィールドには、受験者の解答に対して採点者が記入したコメントが記録されている。コメントフィールドに、デジタルペン等を使用して採点者が入力した手書きの文字およびイラスト等が記録されても良い。
【０１６８】
図２６は、実施の形態８の採点者による採点操作を説明する説明図である。採点者は、実施の形態１と同様に、解答欄５６を繰り返してタップする操作により、各問題を採点する。第１ＣＰＵ１２は、採点者による操作に応じて、採点欄５７に採点記号を表示する。
【０１６９】
採点者が解答欄５６または採点欄５７に対して、たとえば１秒から２秒程度、指を動かさずに触れ続けた後に離す、いわゆるロングタップを行った場合、第１ＣＰＵ１２は、解答欄５６の近傍にコメント欄６７およびコメント終了ボタン６８を表示する。なお、第１ＣＰＵ１２は、答案ＤＢ３３の対応する問題および受験者のコメントフィールドを参照し、入力済のコメントがある場合にはコメント欄６７に表示しても良い。
【０１７０】
採点者は、第１情報処理装置１１に接続されたキーボードまたはデジタルペン等の入力機器を使用して、コメント欄６７に受験者に対するコメントを入力することができる。コメント終了ボタン６８の選択を受け付けた場合、第１ＣＰＵ１２は、コメント欄６７に入力されたコメントを、答案ＤＢ３３のコメントフィールドに記録する。
【０１７１】
図２７は、実施の形態８の採点結果を示す説明図である。図８を使用して説明した答案に、採点欄５７、点数欄５８およびコメント欄６７が追加されている。コメント欄６７には、図２５を使用して説明したコメントフィールドに記録されたコメントが表示されている。
【０１７２】
本実施の形態によると、採点者は、採点を行いながら受験者の解答に対する個別のコメントを記録することが可能である。コメントが入力された問題にのみコメント欄６７を表示することにより、答案に余分な空白が表示されない。そのため、受験者が見直しやすい表示を行うことが可能である。
【０１７３】
図２８は、実施の形態８の採点のサブルーチンの処理の流れを示すフローチャートである。本実施の形態の採点のサブルーチンは、図１２を使用して説明した実施の形態１の採点のサブルーチンの代わりに使用するサブルーチンである。
【０１７４】
第１ＣＰＵ１２は、カウンタＩを初期値１に設定する（ステップＳ５２１）。第１ＣＰＵ１２は、表示部１６にＩ人目の受験者の答案を表示する（ステップＳ５２２）。第１ＣＰＵ１２は、図３を使用して説明したように解答欄５６へのタップを受け付ける（ステップＳ５２３）。
【０１７５】
第１ＣＰＵ１２は、タップを受け付けた座標をキーとして、問題ＤＢ３２の解答欄フィールドを検索して、タップを受け付けた問題レコードを抽出する。第１ＣＰＵ１２は、抽出した問題レコード中の、Ｉ人目の受験者に関する記号フィールドより、タップを受け付けた解答欄５６に対する前回の評価、すなわちタップを受け付けた時点で採点欄５７に表示されている採点記号を取得する（ステップＳ５２４）。
【０１７６】
第１ＣＰＵ１２は、所定の採点記号の順番に沿って、ステップＳ５２４で取得した評価の次の順番の評価に、評価を変更する（ステップＳ５２５）。第１ＣＰＵ１２は、答案ＤＢ３３の点数フィールドに記録する点数を算出する（ステップＳ５２６）。
【０１７７】
第１ＣＰＵ１２は、解答欄５６または採点欄５７へのロングタップを受け付けたか否かを判定する（ステップＳ７４１）。なお、ステップＳ７４１においては、第１ＣＰＵ１２は、解答欄５６および採点欄５７の近傍の領域におけるロングタップを前回のステップＳ５２３で受け付けた解答欄５６または採点欄５７へのロングタップであると判定しても良い。また、ステップＳ７４１においては、第１ＣＰＵ１２は、タッチパネルの任意の場所におけるロングタップを前回のステップＳ５２３で受け付けた解答欄５６へのロングタップであると判定しても良い。
【０１７８】
ロングタップを受け付けたと判定した場合（ステップＳ７４１でＹＥＳ）、第１ＣＰＵ１２は、図２６を使用して説明したように解答欄５６の近傍にコメント欄６７およびコメント終了ボタン６８を表示する（ステップＳ７４２）。なお、ステップＳ７４２においては、第１ＣＰＵ１２はコメント欄６７を周囲の他の問題の問題欄５５、解答欄５６および採点欄５７を隠す位置に表示しても構わない。
【０１７９】
第１ＣＰＵ１２は、答案ＤＢ３３の対応する問題および受験者のコメントフィールドを参照し、入力済のコメントがある場合にはコメント欄６７に表示して、編集を受け付けても良い。
【０１８０】
採点者が、キーボードまたはデジタルペン等を操作した場合、第１ＣＰＵ１２はコメント欄６７への入力および編集を受け付ける（ステップＳ７４３）。第１ＣＰＵ１２は、入力された内容をコメント欄６７に表示する。
【０１８１】
コメント終了ボタン６８の選択を受け付けた場合、第１ＣＰＵ１２は、入力されたコメントを答案ＤＢ３３の対応するレコードのコメントフィールドに記録する（ステップＳ７４４）。
【０１８２】
ロングタップを受け付けていないと判定した場合（ステップＳ７４１でＮＯ）、または、ステップＳ７４４の終了後、第１ＣＰＵ１２は、Ｉ番目の受験者のすべての問題の採点が終了したか否かを判定する（ステップＳ５２７）。終了していないと判定した場合（ステップＳ５２７でＮＯ）、第１ＣＰＵ１２はステップＳ５２３に戻る。ここで第１ＣＰＵ１２は、採点が終了していない問題を目立つようにハイライト表示しても良い。第１ＣＰＵ１２は、採点が終了してない問題が表示部１６に表示されるように、自動スクロールまたは自動ページ送り等をしても良い。
【０１８３】
終了したと判定した場合（ステップＳ５２７でＹＥＳ）、第１ＣＰＵ１２は点数フィールドに記載された点数を合計して、Ｉ番目の受験者の合計点を算出する（ステップＳ５２８）。以上で、第１ＣＰＵ１２はＩ番目の受験者の答案の採点結果の取得および記録を完了する。
【０１８４】
第１ＣＰＵ１２は、すべての受験者の答案の採点が終了したか否かを判定する（ステップＳ５２９）。終了していないと判定した場合（ステップＳ５２９でＮＯ）、第１ＣＰＵ１２はカウンタＩに１を加算する（ステップＳ５３０）。第１ＣＰＵ１２はステップＳ５２２に戻る。
【０１８５】
終了していると判定した場合（ステップＳ５２９でＹＥＳ）、第１ＣＰＵ１２は処理を終了する。
【０１８６】
本実施の形態によると、採点と平行して、受験者に対する指導、助言等を記録することが可能な情報処理システム１０を提供することが可能である。
【０１８７】
本実施の形態によると、受験者に返却する答案には、コメントが記録された問題に対してのみコメント欄６７が表示される。そのため、受験者が見直しやすい表示を行う情報処理システム１０を提供することが可能である。また、コメントが記載されていないことに対する受験者の不満等が生じにくい情報処理システム１０を提供することが可能である。
【０１８８】
第１ＣＰＵ１２は、たとえば、右クリック等の特定の操作を受け付けた場合に、コメント欄６７を表示しても良い。
【０１８９】
［実施の形態９］
図２９は、実施の形態９の情報処理システム１０の動作を示す機能ブロック図である。
情報処理システム１０は、ネットワークを介して接続された第１情報処理装置１１と第２情報処理装置２１とを備える。本実施の形態の第２情報処理装置２１は、第２ＣＰＵ２２による制御に基づいて以下のように動作する。
【０１９０】
第２情報処理装置２１は、入力部２９と送信部２５１とを備える。入力部２９から、解答欄５６に対して解答が入力される。送信部２５１が、入力部２９から入力された解答を送信する。
【０１９１】
本実施の形態の第１情報処理装置１１は、第１ＣＰＵ１２による制御に基づいて以下のように動作する。
【０１９２】
第１情報処理装置１１は、文書表示部９１と受付部１７と評価表示部９２と算出部９３とを備える。文書表示部９１は、取得した解答および解答欄５６を含む文書を表示する。受付部１７は、文書表示部９１に表示された解答欄５６に対する操作を受け付ける。評価表示部９２は、受付部１７が受け付けた操作に応じて評価を表示する。算出部９３は、評価表示部９２が表示した評価に関連づけられた配点を集計して文書に対する点数を算出する。
【０１９３】
［実施の形態１０］
実施の形態１０は、汎用のコンピュータ７４とプログラム７１とを組み合わせて動作させることにより、本実施の形態の情報処理システム１０を実現する形態に関する。図３０は、実施の形態１０の情報処理システム１０の構成を示す説明図である。図３０を使用して、本実施の形態の構成を説明する。なお、実施の形態１と共通する部分の説明は省略する。
【０１９４】
本実施の形態のコンピュータ７４は、第１ＣＰＵ１２、主記憶装置１３、補助記憶装置１４、通信部１５、表示部１６、受付部１７、読取部１８およびバスを備える。本実施の形態のコンピュータ７４は、汎用のパソコン、タブレット、スマートフォン等の情報機器である。
【０１９５】
プログラム７１は、可搬型記録媒体７２に記録されている。第１ＣＰＵ１２は、読取部１８を介してプログラム７１を読み込み、補助記憶装置１４に保存する。また第１ＣＰＵ１２は、コンピュータ７４内に実装されたフラッシュメモリ等の半導体メモリ７３に記憶されたプログラム７１を読出しても良い。さらに、第１ＣＰＵ１２は、通信部１５およびネットワークを介して接続される図示しない他のサーバコンピュータからプログラム７１をダウンロードして補助記憶装置１４に保存しても良い。
【０１９６】
プログラム７１は、コンピュータ７４の制御プログラムとしてインストールされ、主記憶装置１３にロードして実行される。これにより、コンピュータ７４は上述した第１情報処理装置１１として機能する。
【０１９７】
第１ＣＰＵ１２は、ネットワークを介して受験者の使用するタブレット等にプログラム７１を送信しても良い。プログラム７１は、受験者の使用するタブレット等の制御プログラムとしてインストールされ、主記憶装置２３にロードして実行される。これにより、受験者の使用するタブレット等は上述した第２情報処理装置２１として機能する。
【０１９８】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【符号の説明】
【０１９９】
１０  情報処理システム
１１  第１情報処理装置（情報処理装置）
１２  第１ＣＰＵ
１３  主記憶装置
１４  補助記憶装置
１５  通信部
１６  表示部
１７  受付部
１８  読取部
２１  第２情報処理装置
２２  第２ＣＰＵ
２３  主記憶装置
２４  補助記憶装置
２５  通信部
２５１  送信部
２６  表示部
２８  接続部
２９  入力部
３１  受験者ＤＢ
３２  問題ＤＢ
３３  答案ＤＢ
３４  採点記号ＤＢ
３８  答案用紙
３９  デジタルペン
５１  学年欄
５２  クラス欄
５３  番号欄
５４  名前欄
５５  問題欄
５６  解答欄（評価対象部）
５７  採点欄
５８  点数欄
５９  答案欄
６１  未採点表示ボタン
６２  終了ボタン
６３  採点状況欄
６４  処理中マーク
６５  完了マーク
６６  途中マーク
６７  コメント欄
６８  コメント終了ボタン
７１  プログラム
７２  可搬型記録媒体
７３  半導体メモリ
７４  コンピュータ
８１  問題番号欄
８３  すべて正答ボタン
８４  すべて誤答ボタン
８５  次へボタン
８６  受験者ＩＤ欄
８７  拡大ボタン
８８  縮小ボタン
８９  未採点のみボタン
９１  文書表示部
９２  評価表示部
９３  算出部
【図１】
2018132945.tif 000003
【図２】
2018132945.tif 000004
【図３】
2018132945.tif 000005
【図４】
2018132945.tif 000006
【図５】
2018132945.tif 000007
【図６】
2018132945.tif 000008
【図７】
2018132945.tif 000009
【図８】
2018132945.tif 000010
【図９】
2018132945.tif 000011
【図１０】
2018132945.tif 000012
【図１１】
2018132945.tif 000013
【図１２】
2018132945.tif 000014
【図１３】
2018132945.tif 000015
【図１４】
2018132945.tif 000016
【図１５】
2018132945.tif 000017
【図１６】
2018132945.tif 000018
【図１７】
2018132945.tif 000019
【図１８】
2018132945.tif 000020
【図１９】
2018132945.tif 000021
【図２０】
2018132945.tif 000022
【図２１】
2018132945.tif 000023
【図２２】
2018132945.tif 000024
【図２３】
2018132945.tif 000025
【図２４】
2018132945.tif 000026
【図２５】
2018132945.tif 000027
【図２６】
2018132945.tif 000028
【図２７】
2018132945.tif 000029
【図２８】
2018132945.tif 000030
【図２９】
2018132945.tif 000031
【図３０】
2018132945.tif 000032